(57)【要約】【課題】簡便な手法で日向と日陰を判定し、日向と日陰の情報を含むルート情報を提供可能な運動支援システムを提供する。【解決手段】ユーザーが携帯する携帯型電子機器は、太陽電池と、前記ユーザーの位置情報を測定する衛星測位部と、前記太陽電池が発電した発電量を計測する発電量計測部と、前記位置情報と前記発電量とを前記情報処理装置に送信する第１の通信部と、を備え、前記携帯型電子機器と通信可能な情報処理装置は、前記位置情報と前記発電量とを受信する第２の通信部と、地図情報を取得する地図情報取得部と、前記発電量に基づいて日向または日陰を判定し、前記日向または前記日陰、前記位置情報、および前記地図情報を関連付けたルート情報を生成する処理部と、前記ルート情報を表示する表示部と、を備える。【選択図】図５
2019162287.tif 000002
【特許請求の範囲】
【請求項１】
ユーザーが携帯する携帯型電子機器、および前記携帯型電子機器と通信可能な情報処理装置を含む運動支援システムであって、
前記携帯型電子機器は、
太陽電池と、
前記ユーザーの位置情報を取得する衛星測位部と、
前記太陽電池が発電した発電量を計測する発電量計測部と、
前記位置情報および前記発電量の情報である発電情報を前記情報処理装置に送信する第１の通信部と、を備え、
前記情報処理装置は、
前記位置情報および前記発電情報を受信する第２の通信部と、
地図情報を取得する地図情報取得部と、
前記発電量に基づいて日向または日陰を判定し、前記位置情報における前記日向または前記日陰と前記地図情報とを関連付けたルート情報を生成する処理部と、
前記ルート情報を表示する表示部と、を備える
ことを特徴とする運動支援システム。
【請求項２】
請求項１に記載の運動支援システムにおいて、
前記処理部は、前記発電量が所定の閾値より高い場合は日向であると判定し、前記発電量が所定の閾値より低い場合は日陰であると判定することを特徴とする運動支援システム。
【請求項３】
請求項１または請求項２に記載の運動支援システムにおいて、
前記情報処理装置は、天気情報を取得する天気情報取得部を備え、
前記処理部は、前記天気情報と前記発電量とに基づいて日向または日陰を判定することを特徴とする運動支援システム。
【請求項４】
請求項１ないし請求項３のいずれか一項に記載の運動支援システムにおいて、
前記表示部は、前記ルート情報における前記日向と前記日陰とを識別可能に表示することを特徴とする運動支援システム。
【請求項５】
請求項４に記載の運動支援システムにおいて、
前記表示部は、前記日向の前記ルート情報を前記日陰の前記ルート情報よりも明るい色で表示することを特徴とする運動支援システム。
【請求項６】
太陽電池と、
ユーザーの位置情報を測定する衛星測位部と、
前記太陽電池が発電した発電量を計測する発電量計測部と、
地図情報を取得する地図情報取得部と、
前記発電量に基づいて日向または日陰を判定し、前記位置情報における前記日向または前記日陰と前記地図情報とを関連付けたルート情報を生成する処理部と、
前記ルート情報を表示する表示部と、を備えることを特徴とする携帯型電子機器。
【請求項７】
請求項６に記載の携帯型電子機器において、
前記処理部は、前記発電量が所定の閾値より高い場合は日向であると判定し、前記発電量が所定の閾値より低い場合は日陰であると判定することを特徴とする携帯型電子機器。
【請求項８】
請求項６または請求項７に記載の携帯型電子機器において、
前記情報処理装置は、天気情報を取得する天気情報取得部を備え、
前記処理部は、前記天気情報と前記発電量とに基づいて日向または日陰を判定することを特徴とする携帯型電子機器。
【請求項９】
請求項６ないし請求項８のいずれか一項に記載の携帯型電子機器において、
前記表示部は、前記ルート情報における前記日向と前記日陰とを識別可能に表示することを特徴とする携帯型電子機器。
【請求項１０】
ユーザーの位置情報を取得するステップと、
太陽電池が発電した発電量を計測するステップと、
地図情報を取得するステップと、
前記発電量に基づいて日向または日陰を判定し、前記位置情報における前記日向または前記日陰と前記地図情報とを関連付けたルート情報を生成するステップと、
前記ルート情報を表示するステップと、を含むことを特徴とする運動支援方法。
【発明の詳細な説明】
【技術分野】
【０００１】
本発明は、運動支援システム、携帯型電子機器、および運動支援方法に関する。
【背景技術】
【０００２】
ランニングやサイクリング等のスポーツ活動において、ユーザーの位置、速度をＧＰＳ（Global Positioning System）受信機で計測する携帯型電子機器であるＧＰＳスポーツ機器を用いた運動支援システムが実用化されている。ＧＰＳスポーツ機器を用いることによって、ユーザーはスポーツ活動中に自らの走行速度や走行距離等のパフォーマンス情報、もしくはスポーツ活動の実施地点における環境情報、例えば走行ルートにおける日向や日陰の占有率などを把握することができる。
【０００３】
このような運動支援システムとして、例えば特許文献１には、３次元の地図情報と太陽の位置を表わす情報とに基づいて、複数のルートの日陰または日向が占める割合を算出し、機器の電池残量に基づいて、ユーザーに適したルートを提示することが開示されている。
【先行技術文献】
【特許文献】
【０００４】
【特許文献１】特開２０１７−１７３２２８号公報
【発明の概要】
【発明が解決しようとする課題】
【０００５】
しかしながら、上述の特許文献１に記載された運動支援システムでは、３次元の地図情報から建造物の位置を推定し、この建造物および太陽の位置に基づいて、日陰または日向が占める割合を算出しており、例えば建物が多く密集する場所や木々が生い茂るような場所があると、実際のルートにおける日向と日陰の情報を正確に算出することができないという課題があった。
【課題を解決するための手段】
【０００６】
本願の運動支援システムは、ユーザーが携帯する携帯型電子機器、および前記携帯型電子機器と通信可能な情報処理装置を含む運動支援システムであって、前記携帯型電子機器は、太陽電池と、前記ユーザーの位置情報を取得する衛星測位部と、前記太陽電池が発電した発電量を計測する発電量計測部と、前記位置情報および前記発電量の情報である発電情報を前記情報処理装置に送信する第１の通信部と、を備え、前記情報処理装置は、前記位置情報および前記発電情報を受信する第２の通信部と、地図情報を取得する地図情報取得部と、前記発電量に基づいて日向または日陰を判定し、前記位置情報における前記日向または前記日陰と前記地図情報とを関連付けたルート情報を生成する処理部と、前記ルート情報を表示する表示部と、を備えることを特徴とする。
【０００７】
上述の運動支援システムにおいて、前記処理部は、前記発電量が所定の閾値より高い場合は日向であると判定し、前記発電量が所定の閾値より低い場合は日陰であると判定することが好ましい。
【０００８】
上述の運動支援システムにおいて、前記情報処理装置は、天気情報を取得する天気情報取得部を備え、前記処理部は、前記天気情報と前記発電量とに基づいて日向または日陰を判定することが好ましい。
【０００９】
上述の運動支援システムにおいて、前記表示部は、前記ルート情報における前記日向と前記日陰とを識別可能に表示することが好ましい。
【００１０】
上述の運動支援システムにおいて、前記表示部は、前記日向の前記ルート情報を前記日陰の前記ルート情報よりも明るい色で表示することが好ましい。
【００１１】
本願の携帯型電子機器は、太陽電池と、ユーザーの位置情報を測定する衛星測位部と、前記太陽電池が発電した発電量を計測する発電量計測部と、地図情報を取得する地図情報取得部と、前記発電量に基づいて日向または日陰を判定し、前記位置情報における前記日向または前記日陰と前記地図情報とを関連付けたルート情報を生成する処理部と、前記ルート情報を表示する表示部と、を備えることを特徴とする。
【００１２】
上述の携帯型電子機器において、前記処理部は、前記発電量が所定の閾値より高い場合は日向であると判定し、前記発電量が所定の閾値より低い場合は日陰であると判定することが好ましい。
【００１３】
上述の携帯型電子機器において、前記情報処理装置は、天気情報を取得する天気情報取得部を備え、前記処理部は、前記天気情報と前記発電量とに基づいて日向または日陰を判定することが好ましい。
【００１４】
上述の携帯型電子機器において、前記表示部は、前記ルート情報における前記日向と前記日陰とを識別可能に表示することが好ましい。
【００１５】
本願の運動支援方法は、ユーザーの位置情報を取得するステップと、太陽電池が発電した発電量を計測するステップと、地図情報を取得するステップと、前記発電量に基づいて日向または日陰を判定し、前記位置情報における前記日向または前記日陰と前記地図情報とを関連付けたルート情報を生成するステップと、前記ルート情報を表示するステップと、を含むことを特徴とする。
【図面の簡単な説明】
【００１６】
【図１】本発明に係る運動支援システムの概要を示す概略構成図。
【図２】運動支援システムに用いられるウェアラブル機器の概略構成を示す外観図。
【図３】ウェアラブル機器の装着例を示す外観図。
【図４】ウェアラブル機器の構成を示す断面図。
【図５】運動支援システム、ウェアラブル機器、および情報処理装置の構成例を示す機能ブロック図。
【図６】運動支援システムにおける運動支援方法の実施例１に係る手順を示すフローチャート。
【図７】運動支援システムにおける運動支援方法の実施例１に係る手順を時系列で示すタイミングチャート。
【図８】日向または日陰の情報を含むルート情報の表示例１を示す図。
【図９】日向または日陰の情報を含むルート情報の表示例２を示す図。
【図１０】運動支援システムにおける運動支援方法の実施例２に係る手順を示すフローチャート。
【図１１】運動支援システムにおける運動支援方法の実施例２に係る手順を時系列で示すタイミングチャート。
【図１２】ウェアラブル機器の変形例に係る概略構成を示す機能ブロック図。
【図１３】ウェアラブル機器の変形例に係る運動支援方法の手順を示すフローチャート。
【発明を実施するための形態】
【００１７】
以下、本発明に係る運動支援システム、および携帯型電子機器の実施形態について説明する。なお、以下に説明する実施形態は、特許請求の範囲に記載された本発明の内容を不当に限定するものではない。また、各実施形態で説明される構成の全てが、本発明の必須構成要件であるとは限らない。
【００１８】
１．本実施形態の手法
先ず、本発明に係る運動支援システムの実施形態の手法について説明する。以下では、運動支援システムに用いられる運動支援装置（検出装置）として、例えばユーザーの手首に装着される脈波センサーや体動センサーを備えた携帯型電子機器としてのウェアラブル機器（リスト機器）を例示して説明する。
【００１９】
運動支援システムに用いられる携帯型電子機器としてのウェアラブル機器には、ユーザーの生体情報としての脈波情報などを取得する生体センサーやユーザーの動作情報（体動情報）を取得する体動センサーが備えられている。さらに、ウェアラブル機器には、ユーザーの位置情報を取得する全地球的航法衛星システム（GNSS：Global Navigation Satellite System）などと呼ばれる位置情報衛星を用いた位置測位システムの一例としてのＧＰＳ（Global Positioning System）の衛星測位部が備えられている。なお、ウェアラブル機器は、頸部や足首等、ユーザーの他の部位に装着されるウェアラブル機器としてもよい。
【００２０】
生体センサーは、脈拍数などの脈波情報を取得することが可能である。生体センサーとしては、例えば光センサーが用いられる。この場合には、生体に対して照射された光の反射光または透過光を当該光センサーで検出する手法等が考えられる。血管内の血流量に応じて、照射された光の生体での吸収量、反射量が異なるため、光センサーで検出したセンサー情報は血流量等に対応した信号となり、当該信号を解析することで拍動に関する情報を取得することができる。ただし、生体センサーは光センサーに限定されず、心電計や超音波センサー等、他のセンサーを用いてもよい。
【００２１】
体動センサーは、ユーザーの体動を検出するセンサーである。体動センサーとしては、加速度センサーや角速度センサー（ジャイロセンサー）、あるいは方位センサー（地磁気センサー）や圧力センサー（気圧センサー）等を用いることが考えられるが、他のセンサーを用いてもよい。
【００２２】
ＧＰＳは、全地球測位システムとも呼ばれ、複数の衛星信号に基づいて地球上の現在位置を測定するための衛星測位システムである。ＧＰＳは、衛星測位部においてＧＰＳ時刻情報と軌道情報とを使用して測位計算をおこないユーザーの位置情報を取得する機能、および時計機能における時刻修正機能を備えている。
【００２３】
２．運動支援システム
次に、図１、図２、図３、図４、および図５を参照して、本発明に係る運動支援システムの構成について説明する。図１は、本発明に係る運動支援システムの概要を示す概略構成図である。図２は、運動支援システムに用いられるウェアラブル機器の概略構成を示す外観図である。図３は、ウェアラブル機器の装着例を示す外観図である。図４は、ウェアラブル機器の構成を示す断面図である。図５は、運動支援システム、ウェアラブル機器、および情報処理装置の構成例を示すブロック図である。
【００２４】
本実施形態に係る運動支援システム１００は、図１に示すように、生体センサー（光電センサー）としての脈波センサーやＧＰＳが備えられたウェアラブル機器２００と、ウェアラブル機器２００とデータ通信可能な情報処理装置の一例としての情報処理装置３００と、情報処理装置３００とネットワークＮＥを介して接続される情報処理装置の他の一例としてのサーバー４００と、を含む。
【００２５】
ウェアラブル機器２００に備えられた全地球的航法衛星システムとしての衛星測位部１６０（図５参照）は、ＧＰＳ衛星８からの電波（衛星信号）を受信して内部時刻を修正したり、測位計算を行って位置情報を取得したりする機能を備えている。
【００２６】
ＧＰＳ衛星８は、地球の上空において、所定の軌道上を周回する位置情報衛星の一例である。ＧＰＳ衛星８は、航法メッセージが重畳された高周波の電波、例えば周波数が１．５７５４２ＧＨｚの電波（Ｌ１波）を地上に送信している。以降の説明では、航法メッセージが重畳された、例えば１．５７５４２ＧＨｚの電波を衛星信号という。衛星信号は、右旋偏波の円偏波である。
【００２７】
現在、複数のＧＰＳ衛星８（図１においては、４個のみを図示）が存在している。衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。このようにして、衛星信号がどのＧＰＳ衛星８から送信されたかを識別する衛星番号を取得することができる。
【００２８】
ＧＰＳ衛星８は原子時計を搭載している。衛星信号には、原子時計で計時された極めて正確なＧＰＳ時刻情報が含まれている。地上のコントロールセグメントにより、各ＧＰＳ衛星８に搭載されている原子時計のわずかな時刻誤差が測定されている。衛星信号には、その時刻誤差を補正するための時刻補正パラメーターも含まれている。ウェアラブル機器２００は、１つのＧＰＳ衛星８から送信された衛星信号（電波）を受信し、その中に含まれるＧＰＳ衛星８の時刻情報であるＧＰＳ時刻情報と時刻補正パラメーターとを使用して時刻情報を取得することができる。なお、衛星信号には、ＧＰＳ衛星８の軌道上の位置を示すエフェメリス（精密衛星軌道情報）やアルマナックが含まれている。
【００２９】
ここで、エフェメリス（精密衛星軌道情報）は、一つの衛星の位置を高精度に表す、時間の関数であり、アルマナックに比べて軌道を表現するためのパラメーターが多いので、軌道の精度は高い。取得には、およそ３０秒〜１分を要する。また、アルマナックは、全衛星のおおよその位置が、時間の関数で表されている。取得には、１０分以上を要する。
【００３０】
ウェアラブル機器２００は、ＧＰＳ時刻情報と、エフェメリス（精密衛星軌道情報）やアルマナックなどの軌道情報と、を使用して測位計算を行うことができる。測位計算は、ウェアラブル機器２００の内部時刻にある程度の誤差が含まれていることを前提として行われる。すなわち、ウェアラブル機器２００の三次元の位置を特定するためのｘ，ｙ，ｚパラメーターに加えて時刻誤差も未知数になる。そのため、ウェアラブル機器２００は、例えば三つ以上のＧＰＳ衛星８からそれぞれ送信された衛星信号（電波）を受信し、その中に含まれるＧＰＳ時刻情報と軌道情報とを使用して測位計算を行い、現在地の位置情報を取得することができる。
【００３１】
情報処理装置３００は、例えばスマートフォンやタブレット型の端末装置などで構成することができる。情報処理装置３００は、光電センサーである生体センサーとしての脈波センサーが用いられたウェアラブル機器２００と、例えばＢｌｕｅｔｏｏｔｈ（登録商標）通信などを例示することができる近距離無線通信や有線通信（不図示）等によって接続されている。
【００３２】
なお、本実施形態におけるウェアラブル機器２００および情報処理装置３００は、Ｂｌｕｅｔｏｏｔｈの機能を有しており、情報処理装置３００とウェアラブル機器２００とは、Ｂｌｕｅｔｏｏｔｈ通信によって接続されている。Ｂｌｕｅｔｏｏｔｈ通信は、２．４ＧＨｚ帯を複数の周波数チャネルに分け、利用する周波数をランダムに変える周波数ホッピングを行いながら、半径１０〜１００ｍ程度の範囲のＢｌｕｅｔｏｏｔｈ搭載機器間の無線通信を行うことができる。指向性の少ない、簡易なデジタル無線通信としてモバイル通信に好適なＢｌｕｅｔｏｏｔｈ通信によって、ウェアラブル機器２００と情報処理装置３００との接続を好適に行うことができる。
【００３３】
また、本実施形態のＢｌｕｅｔｏｏｔｈ通信は、Ｂｌｕｅｔｏｏｔｈ  Ｌｏｗ  Ｅｎｅｒｇｙ（Bluetooth 4.0 ともいう）による通信を適用している。Ｂｌｕｅｔｏｏｔｈ  Ｌｏｗ  Ｅｎｅｒｇｙ（以下、ＢＬＥという）は、２．４ＧＨｚ帯の無線を用いた近距離無線通信の規格であり、省電力性が重視されている。ＢＬＥでは、ホスト側とデバイス側とで、ＧＡＴＴ（Generic ATTribute）というプロファイルで通信を行う。このような、ＢＬＥを適用した通信を行うことにより、従来のバージョンに比べ大幅に省電力化することが可能となり、ウェアラブル機器の使用可能時間を長くすることが可能となる。
【００３４】
また、情報処理装置３００は、ネットワークＮＥを介してＰＣ（Personal Computer）やサーバーシステム等のサーバー４００と接続されることができる。ここでのネットワークＮＥは、ＷＡＮ（Wide Area Network）、ＬＡＮ（Local Area Network）、近距離無線通信等、種々のネットワークＮＥを利用できる。この場合、サーバー４００は、ウェアラブル機器２００で計測された脈波情報や体動情報を、情報処理装置３００からネットワークＮＥを介して受信し、記憶する処理記憶部として実現される。
【００３５】
なお、ウェアラブル機器２００は、情報処理装置３００を省略し、ウェアラブル機器２００とサーバー４００を直接接続する変形実施も可能である。この場合、ウェアラブル機器２００は、情報処理装置３００に含まれている計測情報を処理する機能、および計測情報をサーバー４００に送信したりサーバー４００からの情報を受付けたりする機能を備える。ただし、運動支援システム１００において、ウェアラブル機器２００は、情報処理装置３００との通信が可能であればよく、直接的にネットワークＮＥに接続しなくてもよい。このような構成では、ウェアラブル機器２００の構成を簡略化することが可能になる。
【００３６】
また、運動支援システム１００は、サーバー４００により実現されるものには限定されない。例えば、運動支援システム１００は、情報処理装置３００により実現されてもよい。例えばスマートフォン等の情報処理装置３００は、サーバーシステムに比べれば処理性能や記憶領域、バッテリー容量に制約があることが多いが、近年の性能向上を考慮すれば、十分な処理性能等を確保可能となることも考えられる。よって、処理性能等の要求が満たされるのであれば、情報処理装置３００を本実施形態に係る運動支援システム１００とすることが可能である。
【００３７】
また、本実施形態に係る運動支援システム１００は、１つの装置により実現するものには限定されない。例えば、運動支援システム１００は、ウェアラブル機器２００、情報処理装置３００、およびサーバー４００のうちの２以上の装置を含んでもよい。この場合、運動支援システム１００で実行される処理は、いずれか１つの機器において実行されてもよいし、複数の機器で分散処理されてもよい。また、本実施形態に係る運動支援システム１００が、ウェアラブル機器２００、情報処理装置３００、およびサーバー４００とは異なる機器を含むことも妨げられない。
【００３８】
さらに、端末性能の向上、あるいは利用形態等を考慮した場合、ウェアラブル機器２００により、本実施形態に係る運動支援システム１００を実現する実施形態とすることができる。
【００３９】
また、本実施形態に係る運動支援システム１００の各部の処理をプログラムにより実現することができる。すなわち、本実施形態の手法は、ウェアラブル機器２００に備えられた太陽電池７０（図４参照）の発電量に基づいてユーザーの移動ルート上のそれぞれの位置における日向または日陰を判定し、その判定結果による日向および日陰の情報を地図情報に関連付けたルート情報の生成を含む手法である。具体的に、本実施形態の手法は、ウェアラブル機器２００においてユーザーの位置情報と、太陽電池７０が発電した発電量とを計測し、取得した発電量に基づいて判定した日向または日陰の情報と、サーバー４００などから取得した地図情報とから、日向または日陰の情報、位置情報、および地図情報を関連付けたルート情報を生成し、ルート情報を表示する手順を含む処理を、コンピューターに実行させるプログラムに適用できる。
【００４０】
また、本実施形態の運動支援システム１００は、情報（例えばプログラムや各種のデータ）を記憶するメモリーと、メモリーに記憶された情報に基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。メモリーは、例えばＳＲＡＭ（Static Random Access Memory）、ＤＲＡＭ（Dynamic Random Access Memory）などの半導体メモリーであってもよいし、レジスターであってもよいし、ハードディスク装置等の磁気記憶装置であってもよいし、光学ディスク装置等の光学式記憶装置であってもよい。例えば、メモリーはコンピューターにより読み取り可能な命令を格納しており、当該命令がプロセッサーにより実行されることで、運動支援システム１００の各部の機能が実現されることになる。ここでの命令は、プログラムを構成する命令でもよいし、プロセッサーのハードウェア回路に対して動作を指示する命令であってもよい。
【００４１】
２．１．携帯型電子機器としてのウェアラブル機器
携帯型電子機器としてのウェアラブル機器２００は、図３に示すように、ユーザーの所与の部位（例えば手首などの測定の対象部位）に装着され、脈波情報や位置情報等を検出する。ウェアラブル機器２００は、図２に示すように、ハウジング３０を含みユーザーに密着されて脈波情報等を検出する機器本体１８と、機器本体１８に取り付けられ機器本体１８をユーザーに装着するための一対のバンド部１０と、を有する。ハウジング３０を含む機器本体１８には、表示部５０、および光センサー４０が設けられている。バンド部１０には、嵌合穴１２と尾錠１４とが設けられる。尾錠１４は、尾錠枠１５、および係止部（突起棒）１６から構成される。また、ハウジング３０の側面には、操作部１３０として押しボタンが複数配置されている。
【００４２】
なお、以下のウェアラブル機器２００の説明では、機器本体１８をユーザーに装着したとき、測定の対象部位となる対象物（被検体）側に位置する側を「裏側、もしくは裏面側」、その反対側となる機器本体１８の表示面側を「表側、もしくは表面側」として説明する。また、測定される「対象物（対象部位）」を「被検体」ということがある。また、ウェアラブル機器２００のハウジング３０を基準として座標系を設定し、表示部５０の表示面に交差する方向であって、表示部５０の表示面側のハウジング３０を表面とした場合の裏面から表面へと向かう方向をＺ軸正方向としている。あるいは、光センサー４０から表示部５０に向かう方向、あるいは表示部５０の表示面の法線方向においてハウジング３０から離れる方向をＺ軸正方向と定義してもよい。ウェアラブル機器２００が被検体に装着された状態では、上記Ｚ軸正方向とは、被検体からハウジング３０へと向かう方向に相当する。また、Ｚ軸に直交する２軸をＸＹ軸とし、特にハウジング３０に対してバンド部１０が取り付けられる方向をＹ軸に設定している。
【００４３】
図２は、嵌合穴１２と係止部１６とを用いてバンド部１０が固定された状態であるウェアラブル機器２００を、バンド部１０側の方向（ハウジング３０の面のうち装着状態において被検体側となる面側）である−Ｚ軸方向から見た斜視図である。ウェアラブル機器２００では、バンド部１０に複数の嵌合穴１２が設けられ、尾錠１４の係止部１６を、複数の嵌合穴１２のいずれかに挿入することでユーザーへの装着が行われる。複数の嵌合穴１２は、バンド部１０の長手方向に沿って設けられる。
【００４４】
機器本体１８は、図４に示すように、第１ハウジング２１と第２ハウジング２２とを含むハウジング３０を有する。第２ハウジング２２は、機器本体１８をユーザーに装着したとき、測定の対象物の側に位置する。第１ハウジング２１は、第２ハウジング２２に対して、測定の対象物側と反対側（表側）に配置される。そして、第２ハウジング２２の裏面には、検出窓２２１が設けられ、検出窓２２１に対応する位置に光センサー４０が設けられている。
【００４５】
図２では、生体センサー（脈波情報を取得する脈波センサーとしての光電センサー）を想定し、ハウジング３０のうち、ウェアラブル機器２００の装着時に被検体側となる面に光センサー４０が設けられる例を示した。但し、生体センサーが設けられる位置は図２の例示には限定されない。例えば生体センサーは、ハウジング３０の内部に設けられてもよい。
【００４６】
図３は、ユーザーが装着した状態でのウェアラブル機器２００を、表示部５０の設けられる側（Ｚ軸方向）から見た図である。図３に示すように、本実施形態に係るウェアラブル機器２００は通常の腕時計の文字盤に相当する位置、あるいは数字やアイコンを視認可能な位置に表示部５０を有する。ウェアラブル機器２００の装着状態では、ハウジング３０のうちの第２ハウジング２２（図４参照）側が被検体に密着するとともに、表示部５０は、ユーザーによる視認が容易な位置となる。
【００４７】
次に、ウェアラブル機器２００のうちの機器本体１８の構成を、図４に示す断面構造例と図５に示す機能ブロック例を参照して説明する。図４に示すように、機器本体１８は、第１ハウジング２１と第２ハウジング２２とに加えて、モジュール基板３５と、モジュール基板３５に接続された光センサー４０と、回路基板４１と、表示部５０と、体動センサー１７０を構成するセンサーの一例としての加速度センサー５５、方位センサー５６、および圧力センサー（気圧センサー）５８と、二次電池６０と、衛星アンテナ６５と、太陽電池７０と、制御部（ＣＰＵ）９０と、を含む。ただし、ウェアラブル機器２００の構成は図４に示す構成に限定されず、他の構成を追加することや一部の構成を省略することが可能である。
【００４８】
第１ハウジング２１は、胴部２１１とガラス板２１２を備えてもよい。この場合、胴部２１１およびガラス板２１２は、内部構造を保護する外壁として用いられるとともに、ガラス板２１２を介して、ガラス板２１２の直下に設けられる太陽電池７０に対する発電のための光を透過させたり、液晶ディスプレイ（以下、ＬＣＤ）等の表示部５０の表示をユーザーが視認できるようにしたりすることが可能な構成としてもよい。つまり本実施形態では、検出した生体情報や運動状態を表す情報、あるいは時刻情報等の種々の情報を表示部５０に表示し、当該表示を第１ハウジング２１側からユーザーに提示するものであってもよい。なお、ここでは機器本体１８の天板部分をガラス板２１２により実現する例を示したが、太陽電池７０の発電のための光が透過可能であり、且つ表示部５０を視認可能な透明部材であり、表示部５０のハウジング３０の内部に含まれる構成を保護可能な程度の強度を有する部材であれば、透明のプラスチック等、ガラス以外の材料により天板部分を構成することが可能である。
【００４９】
第２ハウジング２２には、検出窓２２１、および遮光部２２２が設けられる。そして、第２ハウジング２２には、検出窓２２１に対応する位置に光センサー４０が設けられる。検出窓２２１においては光が透過する構成となっており、光センサー４０に含まれる発光部１５０（図５参照）から射出される光は、検出窓２２１を透過して被検体（測定の対象物）に対して照射される。また、被検体で反射された反射光も検出窓２２１を透過し、光センサー４０のうちの受光部１４０（図５参照）において受光される。つまり、検出窓２２１を設けることで、光センサー４０を用いた生体情報の検出が可能になる。光センサー４０は、モジュール基板３５に接続されている。なお、モジュール基板３５は、フレキシブル基板４７などを用いて回路基板４１と電気的な接続がなされている。
【００５０】
回路基板４１には、一方の面にＬＣＤ等の表示パネルを案内するパネル枠（不図示）が配置され、他方の面に二次電池６０などを案内する回路ケース（不図示）が配置されている。回路基板４１には、衛星アンテナ６５を含む衛星測位部１６０（図５参照）を制御する回路、光センサー４０を駆動し脈波（脈拍）を測定する回路、計時部１１０を制御する回路、表示部５０を駆動する回路、体動センサー１７０に含まれる加速度センサー５５、方位センサー５６および圧力センサー５８を駆動しセンサーデータを取得する回路などを制御する制御回路としての制御部（ＣＰＵ）９０が実装されている。回路基板４１は、表示部５０の電極と図示しないコネクターを介して導通されている。そして、表示部５０では、モニタリングされたユーザーの移動軌跡、各モードに応じて脈拍数などの脈拍測定データ、時刻情報などが表示される。
【００５１】
回路ケース（不図示）には、充電可能な電池としての二次電池６０（リチウム二次電池）が案内されている。二次電池６０は、両極の端子が接続基板４８などによって回路基板４１に接続され、電源を制御する回路へ電源を供給する。図５では図示していないが、電源は、この回路で所定の電圧に変換されるなどして各回路へ供給され、光センサー４０を駆動し脈拍を検出する回路、表示部５０を駆動する回路、各回路を制御する制御回路（制御部９０）などを動作させる。二次電池６０の充電は、コイルばねなどの導通部材（不図示）により回路基板４１と導通された一対の充電端子を介して行われる。なお、ここでは電池として二次電池６０を用いる例を説明したが、電池には、充電が不要な一次電池を用いてもよい。
【００５２】
また、図４に示したように、検出窓２２１は、第１ハウジング２１と第２ハウジング２２との接続部に設けられる密封部５１まで延在形成されていてもよい。ここで、密封部５１は、ハウジング３０の内部を外部から密閉するパッキン５２が設けられているものであってもよい。パッキン５２は、第１ハウジング２１と第２ハウジング２２との接続部に設けられ、ハウジング３０の内部を外部から密閉するものである。
【００５３】
また、ウェアラブル機器２００は、その機能構成として、図５に示されているように、光センサー４０、表示部５０、二次電池６０、太陽電池７０、第１の通信部８０、発電量計測部１９０を含む制御部９０、計時部１１０、操作部１３０、衛星測位部１６０、体動センサー１７０、および記憶部１８０を含んでいる。
【００５４】
光センサー４０は、脈波等を検出するものであり、受光部１４０、および発光部１５０を含む。光センサー４０は、前述したように発光部１５０から射出される光が被検体（測定の対象物）に対して照射され、その反射光が受光部１４０で受光されることによって脈波情報を検出することができる。光センサー４０は、脈波センサーにより検出された信号を、脈波検出信号として出力する。
【００５５】
表示部５０は、制御部９０の指示に基づいて、ユーザーの生体情報や運動状態を表す情報、位置情報、あるいは時刻情報等の種々の情報を表示し、ユーザーに提示することができる。表示部５０は、ユーザーの位置情報を地図上に示すことができ、地図上にプロットされた移動履歴を移動軌跡などのルート情報としてユーザーに対してビジュアル的に示すことができる。このような表示を行うことにより、ユーザーは、移動軌跡やルート情報などを画像情報としてビジュアル的に視認できるので、ランニングやウォーキングの実績を把握しやすくなる。
【００５６】
太陽電池７０は、例えば太陽光などによって発電された電力を二次電池６０に供給することができる。太陽電池７０は、制御部９０に含まれる発電量計測部１９０によって発電状態を監視され、二次電池６０と電気的に接続されている。太陽電池７０は、第１ハウジング２１に備えられたガラス板２１２の直下にあって、表示部５０の表面の胴部２１１側に配置されている。なお、太陽電池７０は、胴部２１１の内縁に沿った円周状に設けられることが好ましい。この場合、太陽電池７０は、一体のリング状、もしくは分割された板材をリング状に配置する構成であってもよい。
【００５７】
第１の通信部８０は、情報処理装置３００との間において、情報通信を行うことができる。また、第１の通信部８０は、制御部９０からの命令に基づき、脈波情報や体動情報、もしくはユーザーの位置情報や太陽電池７０の発電量などを、情報処理装置３００に送信することができる。また、第１の通信部８０は、情報処理装置３００やネットワークＮＥを介したサーバー４００などから、種々の情報を受信し、制御部９０に送信することができる。
【００５８】
制御部（ＣＰＵ）９０は、光センサー４０を駆動し脈波を測定する回路、表示部５０を駆動する回路、体動センサー１７０を駆動し体動情報を検出する回路、および衛星測位部１６０を制御する回路などの制御回路を構成する。また、制御部（ＣＰＵ）９０は、太陽電池７０が発電した発電量を計測する発電量計測部１９０を備えている。制御部９０は、操作部１３０からの信号により、位置情報の計測開始（ワークアウト開始）や計測終了（ワークアウト終了）のタイミング、もしくは表示モードの切り替えなどを制御することができる。
【００５９】
制御部９０は、第１の通信部８０を介して脈波情報や体動情報、ユーザーの位置情報、もしくは太陽電池７０の発電した発電量に関する情報（以下、発電量データという）などを、情報処理装置３００に送信したり、情報処理装置３００から受信したりすることができる。
【００６０】
また、制御部９０は、衛星測位部１６０の取得した位置情報や加速度センサー５５の取得した加速度データなどを用いて、ユーザーの移動距離、移動スピード、ピッチ、およびペースなどをリアルタイムに計測することができる。なお、ペースとは、単位距離当たりにかかった時間のことを示している。
【００６１】
計時部１１０は、例えば衛星測位部１６０の取得したＧＰＳ時刻情報と時刻補正パラメーターとを使用して現在時刻を計時する。そして、計時部１１０は、計時した現在時刻を制御部９０に出力する。
【００６２】
押しボタンで構成される操作部１３０は、制御部９０と接続されている。ユーザーは、複数配置されたボタン（操作部１３０）を押すなどの操作を行うことにより、例えば位置情報の計測開始（ワークアウト開始）や計測終了（ワークアウト終了）のタイミング、もしくは表示モードの切り替えなどを指示することができる。
【００６３】
体動センサー１７０は、加速度センサー５５、方位センサー（地磁気センサー）５６、および圧力センサー（気圧センサー）５８などを含み、ユーザーの体の動きに係る情報の検出、即ち体動情報を検出することができる。体動センサー１７０は、ユーザーの体動に応じて変化する信号である体動検出信号として、具体的に加速度センサー５５からは加速度データ、方位センサー５６からは方位データ、および圧力センサー５８からは気圧データなどのセンサーデータが出力される。加速度データ、方位データ、および気圧データなどの計測器の検出したセンサーデータは、制御部９０に出力される。なお、体動センサー１７０の構成は、必ずしも上述の構成に限らず、少なくとも加速度センサー５５を備えていればよい。
【００６４】
衛星測位部１６０は、衛星アンテナ６５、信号処理部６６、衛星情報取得部６８、および位置算出部６９を含む。衛星測位部１６０は、衛星アンテナ６５が受信した複数の衛星信号を信号処理部６６が処理し、処理された複数の衛星信号、例えばエフェメリス（精密衛星軌道情報）やアルマナックを含む衛星信号を衛星情報取得部６８が取得する。そして、衛星情報取得部６８が取得した複数の衛星信号に基づいて、位置算出部６９において、測位計算を行ってユーザーの位置情報である測定位置情報を決定することができる。
【００６５】
衛星情報取得部６８は、制御部９０の指示に基づく取得タイミングにおいて、衛星情報として、例えば、一つの衛星の位置を高精度に表す時間の関数であるエフェメリス、および全衛星のおおよその位置が、時間の関数で表されているアルマナックを取得することができる。
【００６６】
位置算出部６９は、取得された複数の衛星信号に基づいて測位計算を行い、計測開始（ワークアウト開始）から計測終了（ワークアウト終了）までの期間におけるワークアウト情報として複数の測定位置情報を決定することができる。ここで決定される測定位置情報は、ユーザーの現在地に係る位置情報である。このように、測位衛星システムの衛星からの信号を使って決定されたユーザーの現在地である測定位置情報に基づいて、計測開始（ワークアウト開始）から計測終了（ワークアウト終了）までの期間におけるユーザーの移動軌跡を決定することができる。
【００６７】
なお、計測開始、および計測終了のタイミングは、操作部１３０のボタン操作、もしくは加速度センサー５５や図示しない脈拍センサーなどの出力に基づいて、制御部９０が判定することによって決定されることができる。
【００６８】
記憶部１８０は、制御部９０の制御によって、光センサー４０による脈波等の生体情報、衛星測位部１６０による位置情報、および体動センサー１７０による体動情報などを記憶することができる。
【００６９】
２．２．情報処理装置
情報処理装置３００は、図５に示すように、ウェアラブル機器２００との通信処理を行う第２の通信部２８０と、第２の通信部２８０の受信した計測情報、位置情報、もしくは発電量情報などに基づいて、位置の算出処理や日向、日陰の判定処理を行う制御処理部（ＣＰＵ）２３０と、取得された天気情報や地図情報などを記憶する記憶部２４０と、制御処理部（ＣＰＵ）２３０によって処理された情報を報知する報知部２９０と、ネットワークＮＥを介してサーバー４００などのデータ処理装置と通信可能な通信処理部２９５と、を含む。
【００７０】
ただし、情報処理装置３００は図５の構成に限定されず、これらの一部の構成要素を省略したり、他の構成要素を追加したりするなどの種々の変形実施が可能である。例えば、ウェアラブル機器２００に含まれている光センサー４０や体動センサー１７０、もしくは衛星測位部１６０などを含んでもよい。また、情報処理装置３００は、ウェアラブル機器２００に含まれる光センサー４０や体動センサー１７０によって検出されたユーザーの脈波情報や体動情報を取得する計測情報処理部（不図示）を含んでもよい。
【００７１】
第２の通信部２８０は、ウェアラブル機器２００によって検知、計測され、ウェアラブル機器２００の第１の通信部８０から送信されたセンサーデータ、位置情報、発電量データなどを受信する。また、第２の通信部２８０は、情報処理装置３００によって算出処理された位置情報や日向または日陰の情報（ルートにおける各位置が日向であるか、日陰であるかの情報）を含むルート情報をウェアラブル機器２００に送信することができる。
【００７２】
制御処理部（ＣＰＵ）２３０は、例えば記憶部２４０をワーク領域として、各種の信号処理や制御処理を行うものであり、例えばＣＰＵ等のプロセッサーあるいはＡＳＩＣなどの論理回路により実現できる。制御処理部２３０は、処理部２３２、位置情報取得部２３５、および報知制御部２３９、を含む。なお、制御処理部２３０は、ユーザーの指示したウェアラブル機器２００の計測開始から計測終了までの間のユーザーの位置情報や太陽電池７０の発電量に基づいて判定した日向または日陰の情報、位置情報、および地図情報取得部２７０の取得した地図情報を関連付けたルート情報を記憶部２４０に記憶させたり、ウェアラブル機器２００やサーバー４００に送信したりするための指示を行うことができる。また、制御処理部２３０は、ウェアラブル機器２００からの計測情報や位置情報、およびルート情報などを報知部２９０で報知するための処理を行う。
【００７３】
処理部２３２は、ユーザーの指示した計測開始から計測終了までの間におけるユーザーの時刻情報を含む位置情報や太陽電池７０の発電量データに基づいて、日向または日陰を判定する。本形態における日向または日陰の判定は、予め設定された閾値に対して、その時点における太陽電池７０の発電量が高いか否かによって行う。具体的には、発電量が所定の閾値より高い場合は日向であると判定し、発電量が所定の閾値より低い場合は日陰であると判定する。そして、処理部２３２は、判定した日向または日陰の情報、位置情報、および地図情報取得部２７０の取得した地図情報に基づいて、ユーザーの移動軌跡に日向または日陰の情報を関連付けたルート情報を生成する。
【００７４】
位置情報取得部２３５は、ウェアラブル機器２００に備えられている衛星測位部１６０によって測位計算された位置情報や時刻情報、もしくはウェアラブル機器２００に備えられている加速度センサー５５、方位センサー５６、および圧力センサー５８によって取得された方位情報や体動情報に基づいて、ユーザーの現在位置情報や移動軌跡情報を生成する。なお、位置情報取得部２３５は、生成した現在位置情報や移動軌跡情報を処理部２３２に送信したりすることができる。
【００７５】
報知制御部２３９は、処理部２３２で生成した情報を報知するための報知データの生成や報知部２９０への報知指示などの制御処理を行う。報知制御部２３９は、例えば、処理部２３２で生成した、ユーザーの移動軌跡に日向または日陰の情報を関連付けたルート情報を、例えば表示部２９１に表示するための画像データを生成し、報知部２９０に送信する。
【００７６】
記憶部２４０は、ユーザーの指示した計測開始から計測終了までの間におけるユーザーの時刻情報を含む位置情報や太陽電池７０の発電量データに基づいて判定された日向または日陰の情報、地図情報取得部２７０の取得した地図情報、天気情報取得部２７５の取得した天気情報、位置情報取得部２３５で取得されたユーザーの位置情報、移動軌跡情報、もしくはユーザーの活動情報を記憶することができる。また、記憶部２４０は、本実施形態に係る運動支援システム１００の一連の処理をコンピューターに実行させるプログラムを記憶する。メモリーは、例えばＳＲＡＭ（Static Random Access Memory）、ＤＲＡＭ（Dynamic Random Access Memory）などの半導体メモリー、ハードディスク装置等の磁気記憶装置、光学ディスク装置等の光学式記憶装置で構成することができる。
【００７７】
地図情報取得部２７０は、通信処理部２９５を介して、ネットワークＮＥ上のサーバー４００などの情報源から、ユーザーの位置情報に基づいて設定された走行ルートに係る地図情報を取得することができる。
【００７８】
天気情報取得部２７５は、通信処理部２９５を介して、ネットワークＮＥ上のサーバー４００などの情報源から、ユーザーの位置情報に基づいて設定された走行ルートに係る天気情報（例えば、晴れ、薄曇り、曇り、雨など）を取得することができる。
【００７９】
報知部２９０は、報知制御部２３９の制御により、ユーザーに各種の情報を報知する。報知部２９０は、画像表示を行う、例えば液晶ディスプレイによる表示部２９１を備えている。報知部２９０は、例えば報知制御部２３９からのデータ信号に基づいて表示部２９１に、ユーザーの移動軌跡に日向または日陰の情報を関連付けたルート情報を画像表示する。表示部２９１は、ユーザーの位置情報を地図上に示すことができ、日向または日陰の情報が地図上にプロットされたルート情報としてユーザーに対してビジュアル的に示すことができる。このような表示を行うことにより、ユーザーは、日向または日陰の情報が地図上にプロットされたルート情報をビジュアル的に確認できるので、日向または日陰の状態を把握し易い。なお、報知部２９０は、他の報知方法として、振動モーター（バイブレーター）などを用いた振動部２９２、もしくはＬＥＤなどを用いた報知用の発光体（不図示）などを備えることができる。振動部２９２では、振動モーター（バイブレーター）の振動の強弱や長さなどによって、報知用の発光体では、発光体の点灯、点滅などによって、各種の情報をユーザーに報知する。なお、これらの情報は、画像表示のみで行ってもよいし、振動、および報知用の発光の少なくとも一方と組み合わせて報知してもよい。
【００８０】
通信処理部２９５は、算出処理された位置情報、走行ルートにおける日向および日陰の少なくともいずれかの情報（以下、「日向または日陰の情報」という）などを含むルート情報を、他の端末機器などに設けられた報知機能部に送信するための通信処理を行う。この場合、携帯電話網や無線ＬＡＮネットワークを用いずに、例えばＢｌｕｅｔｏｏｔｈなどの近距離無線通信規格にしたがった無線通信の処理を行うことができる。ここで送信される報知信号は、画像信号、振動信号、もしくは発光信号などとすることができる。また、通信処理部２９５は、ネットワークＮＥを介してＰＣやサーバーシステム等のサーバー４００と接続することができる。また、通信処理部２９５は、地図情報取得部２７０の取得する地図情報、天気情報取得部２７５の取得する天気情報などをネットワークＮＥを介して受信したりすることができる。
【００８１】
３．運動支援方法
（３．１．実施例１）
運動支援システム１００は、ユーザーが実際に走行したルートにおける太陽電池７０の発電量に基づいて、当該ルートの日向、および日陰を判定した日向または日陰の情報、位置情報、および地図情報を関連付けたルート情報を算出し、情報処理装置３００の表示部２９１に表示することができる。以下、この運動支援方法の手順に係る実施例１を、図６および図７を参照して説明する。図６は、運動支援システムにおける運動支援方法の実施例１に係る手順を示すフローチャートである。図７は、運動支援システムにおける運動支援方法の実施例１に係る手順を時系列で示すタイミングチャートである。なお、以下では、上述した運動支援システム１００の構成と同符号を用いて説明する。
【００８２】
実施例１に係る手順において、図６および図７に示すように、先ず、ユーザーは、走行ルートの日向または日陰の情報を取得するため、その走行ルートを使い、例えばジョギングなどの運動を実際に行う。そして、その走行に当たり、ウェアラブル機器２００（制御部９０）は、その走行ルートにおける位置情報を取得（ステップＳ１０１）し、併せて各位置における太陽電池７０の発電量を計測する（ステップＳ１０３）。そして、制御部９０は、取得した走行ルートにおける位置情報と太陽電池７０の発電量とを、第１の通信部８０を介して情報処理装置３００に送信する（ステップＳ１０５）。
【００８３】
情報処理装置３００の制御処理部２３０は、第２の通信部２８０を介して受信した走行ルートにおける位置情報および太陽電池７０の発電量を受信し、記憶部２４０に記録する。また、情報処理装置３００の地図情報取得部２７０は、ネットワークＮＥを介してサーバー４００などの情報源から、受信したユーザーの位置情報に基づいて設定された走行ルートに係る地図情報を取得する（ステップＳ１０７）。
【００８４】
次に、制御処理部２３０（処理部２３２）は、記憶部２４０に記録されている走行ルートにおける位置情報および太陽電池７０の発電量を読み出し、位置情報および太陽電池７０の発電量に基づいて、走行ルートの日向または日陰を判定する（ステップＳ１０９）。
【００８５】
ここで、走行ルートの日向または日陰を判定するステップＳ１０９では、位置情報における各地点ごと、太陽電池７０の発電量が予め設定されている閾値よりも高いか否かを判定する（ステップＳ１１１）。制御処理部２３０（処理部２３２）は、このステップＳ１１１において、太陽電池７０の発電量が予め設定されている閾値よりも高いと判定した（ステップＳ１１１：Ｙｅｓ）場合、日向と判定し（ステップＳ１１３）、太陽電池７０の発電量が予め設定されている閾値よりも低いと判定した（ステップＳ１１１：Ｎｏ）場合、日陰と判定する（ステップＳ１１５）。このように、所定の閾値に基づいて日向および日陰を判定すれば、日向および日陰の判定を確実に行うことができる。
【００８６】
そして、制御処理部２３０（処理部２３２）は、走行ルートのそれぞれの地点における日向または日陰の判定結果と地図情報取得部２７０の取得した地図情報とに基づいて、日向または日陰、位置情報、および地図情報を関連付けたルート情報を生成する（ステップＳ１１７）。そして、制御処理部２３０（処理部２３２）は、生成したルート情報を表示部２９１に表示（ステップＳ１１９）する。このように、表示部２９１にルート情報が表示されることにより、一連の手順を終了する。
【００８７】
ここで、ステップＳ１１９における情報処理装置３００の表示部２９１への具体的な表示例について、図８および図９を参照して説明する。なお、図８は、日向または日陰の情報を含むルート情報の表示例１を示す図である。図９は、日向または日陰の情報を含むルート情報の表示例２を示す図である。ここで、日向または日陰の情報を含むルート情報の表示では、走行するルートにおける日向および日陰の状況を、画像において識別可能に表示する。
【００８８】
先ず、図８を参照して表示例１について説明する。情報処理装置３００の表示部２９１には、図８に示すように、道路地図を含む地図情報が表示されている。表示されている道路上には、スタート地点Ｓとゴール地点Ｇが表示され、日の当たっている日向の区間ｓｓ１には、道路に沿ってぼかしの領域が設けられている。即ち、表示部２９１には、ルート情報における日向の区間ｓｓ１と日陰の区間ｓｄ１とを識別可能に表示している。なお、日向の区間ｓｓ１を示すぼかしの領域には、例えば朱色、橙色、黄色などの明色であって、日射を想像することが容易な色づけをしてもよい。日陰の区間ｓｄ１には、特別な表示が無く、暗色の道路のみが表示されている。
【００８９】
次に、図９を参照して表示例２について説明する。情報処理装置３００の表示部２９１には、図９に示すように、道路地図を含む地図情報が表示されている。表示されている道路上には、スタート地点Ｓとゴール地点Ｇが表示され、日の当たっている日向の区間ｓｓ２には、道路に沿って太線が設けられている。即ち、表示部２９１には、ルート情報における日向の区間ｓｓ２と日陰の区間ｓｄ２とを、線の種類を変えることによって識別可能に表示している。なお、日向の区間ｓｓ１を示す線には、例えば朱色、橙色、黄色などの明色であって、日射を想像することが容易な色づけをしてもよい。日陰の区間ｓｄ２の線には、暗色の色づけをしてもよい。
【００９０】
このように、表示部２９１において、明色と暗色とを使い分け、日向の区間ｓｓ１，ｓｓ２と日陰の区間ｓｄ１，ｓｄ２とを識別することが可能に表示されることにより、ユーザーは、一見で日向または日陰を認識（識別）することができる。また、日向の区間ｓｓ１，ｓｓ２（日向の領域）に、日射を想像することが容易な色づけをすることにより、ユーザーは、自身の潜在的なイメージに合った表示となり、より識別を行い易くなる。
【００９１】
（３．２．実施例２）
次に、この運動支援方法の手順に係る実施例２を、図１０および図１１を参照して説明する。図１０は、運動支援システムにおける運動支援方法の実施例２に係る手順を示すフローチャートである。図１１は、運動支援システムにおける運動支援方法の実施例２に係る手順を時系列で示すタイミングチャートである。なお、以下では、上述した運動支援システム１００の構成と同符号を用いて説明する。
【００９２】
実施例２に係る手順において、図１０および図１１に示すように、先ず、ユーザーは、走行ルートの日向または日陰の情報を取得するため、その走行ルートを使い、例えばジョギングなどの運動を実際に行う。そして、その走行に当たり、ウェアラブル機器２００（制御部９０）は、その走行ルートにおける位置情報を取得（ステップＳ１０１）し、併せて各位置における太陽電池７０の発電量を計測する（ステップＳ１０３）。そして、制御部９０は、取得した走行ルートにおける位置情報と太陽電池７０の発電量とを、第１の通信部８０を介して情報処理装置３００に送信する（ステップＳ１０５）。
【００９３】
情報処理装置３００の制御処理部２３０は、第２の通信部２８０を介して受信した走行ルートにおける位置情報および太陽電池７０の発電量を受信し、記憶部２４０に記録する。また、情報処理装置３００の地図情報取得部２７０は、ネットワークＮＥを介してサーバー４００などの情報源から、受信したユーザーの位置情報に基づいて設定された走行ルートに係る地図情報を取得する（ステップＳ１０７）。加えて、情報処理装置３００の天気情報取得部２７５は、ネットワークＮＥを介してサーバー４００などの情報源から、受信したユーザーの位置情報に基づいて設定された走行ルートに係る天気情報を取得する（ステップＳ１０８）。
【００９４】
次に、制御処理部２３０（処理部２３２）は、記憶部２４０に記録されている走行ルートにおける位置情報、天気情報、および太陽電池７０の発電量を読み出し、位置情報、および天気情報（晴れ、薄曇り、曇り、雨など）による日射量を加味した太陽電池７０の発電量に基づいて、走行ルートの日向または日陰を判定する（ステップＳ１０９）。なお、天気情報により、雨や曇りで発電が可能な日射を得ることができない場合は、走行ルートの日向または日陰を判定を行なわないこととしてもよい。
【００９５】
ここで、走行ルートの日向または日陰を判定するステップＳ１０９では、位置情報における各地点ごと、天気情報による日射量を加味した太陽電池７０の発電量が予め設定されている閾値よりも高いか否かを判定する（ステップＳ１１１）。制御処理部２３０（処理部２３２）は、このステップＳ１１１において、太陽電池７０の発電量が予め設定されている閾値よりも高いと判定した（ステップＳ１１１：Ｙｅｓ）場合、日向と判定し（ステップＳ１１３）、太陽電池７０の発電量が予め設定されている閾値よりも低いと判定した（ステップＳ１１１：Ｎｏ）場合、日陰と判定する（ステップＳ１１５）。このように、天気情報と発電量とに基づいて、日向または日陰を判定するため、ユーザーが実際に走行したときの天気、例えば晴れていたか曇っていたかなどに基づいて発電量の閾値を設定することができ、より正確な日向または日陰の判定を行うことができる。
【００９６】
そして、制御処理部２３０（処理部２３２）は、走行ルートのそれぞれの地点における日向または日陰の判定結果と地図情報取得部２７０の取得した地図情報とに基づいて、日向または日陰の情報、位置情報、および地図情報を関連付けたルート情報を生成する（ステップＳ１１７）。そして、制御処理部２３０（処理部２３２）は、生成したルート情報を表示部２９１に表示（ステップＳ１１９）する。このように表示されたルート情報により、一連の手順を終了する。ここでの表示部２９１への表示は、図８および図９を示して前述した実施例１と同様であるので、説明を省略する。
【００９７】
なお、実施例１および実施例２において、制御処理部２３０（処理部２３２）は、生成したルート情報を、ウェアラブル機器２００、もしくはサーバー４００に送信してもよい。送信されたルート情報は、例えばウェアラブル機器２００の表示部５０に表示したり、サーバー４００に保存したりすることもできる。
【００９８】
以上説明した実施形態に係る運動支援システム１００によれば、ユーザーが実際に走行したルートにおける太陽電池７０の発電量、当該ルートのそれぞれの地点が、日向または日陰のいずれであるかを判定することができる。即ち、本形態の運動支援システム１００によれば、実際に走行したルートにおける太陽電池７０の発電量に基づいて、日向または日陰の情報を算出することから、例えば、建物が多く密集する場所や木々が生い茂るような場所であっても、日向または日陰の情報を正確に知ることができる。
【００９９】
また、ユーザーは、このような日向または日陰、位置情報、および地図情報を関連付けたルート情報を得ることにより、運動する（走行する）ルートの日向、もしくは日陰の割合を勘案し、ＧＰＳスポーツ機器の発電ができるように日向の多いルートを選択することができる。
【０１００】
加えて、ユーザーは、このような日向または日陰、位置情報、および地図情報を関連付けたルート情報を得ることにより、運動する（走行する）ルートの日向、もしくは日陰の割合を勘案し、電池残量が十分である場合には、日向を極力避けて走行することが可能なルート（日陰の多いルート）を選択することができる。
【０１０１】
４．ウェアラブル機器の変形例
次に、運動支援システム１００に含まれるウェアラブル機器２００の変形例を、図１２、および図１３を参照して説明する。図１２は、ウェアラブル機器の変形例に係る概略構成を示す機能ブロック図である。図１３は、ウェアラブル機器の変形例に係る運動支援方法の手順を示すフローチャートである。なお、本説明では、上述の実施形態と同様な構成部位は、同じ符号を付し、その説明を省略する。また、変形例に係るウェアラブル機器２０００は、携帯型電子機器の一例である。
【０１０２】
変形例に係るウェアラブル機器２０００は、その機能構成として、図１２に示すように、光センサー４０、表示部５０、二次電池６０、太陽電池７０、計時部１１０、操作部１３０、衛星測位部１６０、体動センサー１７０、記憶部１８０、通信部４８０、および制御部（ＣＰＵ）４９０を含んでいる。なお、光センサー４０には、受光部１４０および発光部１５０を含む。また衛星測位部１６０には、衛星アンテナ６５、信号処理部６６、衛星情報取得部６８、位置算出部６９を含む。また、体動センサー１７０には、加速度センサー５５、方位センサー５６、および圧力センサー（気圧センサー）５８を含む。また、制御部（ＣＰＵ）４９０は、第１の処理部４１０、および第２の処理部４２０を含む。
【０１０３】
ウェアラブル機器２０００は、通信部４８０、および制御部（ＣＰＵ）４９０の機能構成が上述の実施形態と異なっている。したがって、以下の説明では、通信部４８０、および制御部（ＣＰＵ）４９０の機能構成を中心に説明する。
【０１０４】
通信部４８０は、算出処理された位置情報や日向または日陰の情報などを含むルート情報を、他の端末機器（例えば情報処理装置３００やサーバー４００）などに設けられた報知機能部に送信するための通信処理を行う。この場合、携帯電話網や無線ＬＡＮネットワークを用いずに、例えばＢｌｕｅｔｏｏｔｈなどの近距離無線通信規格にしたがった無線通信の処理を行うことができる。ここで送信される報知信号は、画像信号、振動信号、もしくは発光信号などとすることができる。また、通信部４８０は、ネットワークＮＥを介してＰＣやサーバーシステム等のサーバー４００と接続することができる。また、通信部４８０は、地図情報取得部４７０の取得する地図情報、天気情報取得部４７５の取得する天気情報などをネットワークＮＥを介して受信したりすることができる。
【０１０５】
制御部（ＣＰＵ）４９０は、例えば記憶部１８０をワーク領域として、各種の信号処理や制御処理を行うものであり、例えばＣＰＵ等のプロセッサーあるいはＡＳＩＣなどの論理回路により実現できる。制御部（ＣＰＵ）４９０は、第１の処理部４１０および第２の処理部４２０を含み、光センサー４０、表示部５０、太陽電池７０、衛星測位部１６０、体動センサー１７０、および通信部４８０を制御したり、地図情報や天気情報などの情報を情報処理装置３００やサーバー４００などから取得したりする機能を備えている。制御部４９０は、操作部１３０からの信号により、位置情報の計測開始（ワークアウト開始）や計測終了（ワークアウト終了）のタイミング、もしくは表示モードの切り替えなどを制御することができる。
【０１０６】
第１の処理部４１０は、計測制御部４１５および発電量計測部４１９を含んでいる。計測制御部４１５は、光センサー４０を駆動し脈波を測定する回路、体動センサー１７０を駆動し体動情報を検出する回路、および衛星測位部１６０を制御する回路などの制御回路を構成する。また、発電量計測部４１９は、太陽電池７０が発電した発電量を計測したり発電を制御したりする制御回路を構成する。
【０１０７】
計測制御部４１５は、衛星測位部１６０の取得した位置情報や加速度センサー５５の取得した加速度データなどを用いて、ユーザーの位置、ユーザーの移動距離、移動スピード、ピッチ、およびペースなどをリアルタイムに計測することができる。なお、ペースとは、単位距離当たりにかかった時間のことを示している。また、発電量計測部４１９は、計測制御部４１５の計測したユーザーの位置（移動位置）ごとの太陽電池７０の発電量を計測することができる。
【０１０８】
第２の処理部４２０は、処理部としての処理制御部４３２、位置情報取得部４３５、表示制御部４３７、地図情報取得部４７０、および天気情報取得部４７５を含んでいる。第２の処理部４２０は、ユーザーの指示した計測開始から計測終了までの間の第１の処理部４１０の取得した計測情報、位置情報もしくは発電量情報と、地図情報取得部４７０および天気情報取得部４７５の取得した地図情報もしくは天気情報と、に基づいて、位置の算出処理や日向、日陰の判定処理を行い、ルート情報として記憶部１８０に記憶させたり、表示部５０に表示させたりするための指示を行うことができる。
【０１０９】
処理部としての処理制御部４３２は、ユーザーの指示した計測開始から計測終了までの間におけるユーザーの時刻情報を含む位置情報や太陽電池７０の発電量データに基づいて、日向または日陰を判定する。本形態における日向または日陰の判定は、予め設定された閾値に対して、その時点における太陽電池７０の発電量が高いか否かによって行う。具体的には、発電量が所定の閾値より高い場合は日向であると判定し、発電量が所定の閾値より低い場合は日陰であると判定する。そして、処理制御部４３２は、判定した日向または日陰の情報、位置情報、および地図情報取得部４７０の取得した地図情報に基づいて、ユーザーの移動軌跡に日向または日陰の情報を関連付けたルート情報を生成する。
【０１１０】
なお、処理制御部４３２は、天気情報取得部４７５の取得した天気情報も含めて判定した日向または日陰の情報、位置情報、および地図情報取得部４７０の取得した地図情報に基づいて、ユーザーの移動軌跡に日向または日陰の情報を関連付けたルート情報を生成することもできる。このように、天気情報と発電量とに基づいて、日向または日陰を判定すれば、ユーザーが実際に走行したときの天気、例えば晴れていたか曇っていたかなどに基づいて発電量の閾値を設定することができ、より正確な日向または日陰の判定を行うことができる。
【０１１１】
位置情報取得部４３５は、衛星測位部１６０によって測位計算された位置情報や時刻情報、もしくは加速度センサー５５、方位センサー５６、および圧力センサー５８によって取得された方位情報や体動情報に基づいて、ユーザーの現在位置情報や移動軌跡情報を生成する。
【０１１２】
表示制御部４３７は、表示部５０を駆動する回路を含んでいる。表示制御部４３７は、処理制御部４３２で生成した情報を報知するための表示データの生成や表示部５０への表示指示などの制御処理を行う。表示制御部４３７は、例えば、処理制御部４３２で生成した、ユーザーの移動軌跡に日向または日陰の情報を関連付けたルート情報を、例えば表示部５０に表示するための画像データを生成し、表示部５０に送信する。
【０１１３】
地図情報取得部４７０は、通信部４８０を介して、ネットワークＮＥ上のサーバー４００や情報処理装置３００などを含む情報源から、ユーザーの位置情報に基づいて設定された走行ルートに係る地図情報を取得することができる。
【０１１４】
天気情報取得部４７５は、通信部４８０を介して、ネットワークＮＥ上のサーバー４００や情報処理装置３００などを含む情報源から、ユーザーの位置情報に基づいて設定された走行ルートに係る天気情報（例えば、晴れ、薄曇り、曇り、雨など）を取得することができる。
【０１１５】
記憶部１８０は、ユーザーの指示した計測開始から計測終了までの間におけるユーザーの時刻情報を含む位置情報や太陽電池７０の発電量データに基づいて判定された日向または日陰の情報、地図情報取得部４７０の取得した地図情報、天気情報取得部４７５の取得した天気情報、位置情報取得部４３５で取得されたユーザーの位置情報、移動軌跡情報、もしくはユーザーの活動情報を記憶することができる。また、記憶部１８０は、本実施形態に係る運動支援システム１００の一連の処理をコンピューターに実行させるプログラムを記憶することもできる。メモリーは、例えばＳＲＡＭ（Static Random Access Memory）、ＤＲＡＭ（Dynamic Random Access Memory）などの半導体メモリー、ハードディスク装置等の磁気記憶装置、光学ディスク装置等の光学式記憶装置で構成することができる。
【０１１６】
ここで、変形例に係るウェアラブル機器２０００の運動支援方法の手順を、図１３に沿って説明する。
【０１１７】
先ず、ユーザーは、走行ルートの日向または日陰の情報を取得するため、その走行ルートを使い、例えばジョギングなどの運動を実際に行う。そして、その走行に当たり、制御部４９０の第１の処理部４１０は、その走行ルートにおける位置情報を取得（ステップＳ２０１）し、併せて各位置における太陽電池７０の発電量を計測する（ステップＳ２０３）。
【０１１８】
第２の処理部４２０は、第１の処理部４１０の取得したユーザーの走行ルートにおける位置情報および太陽電池７０の発電量を記憶部１８０に記録する。また、地図情報取得部４７０は、ネットワークＮＥを介してサーバー４００などの情報源から、受信したユーザーの位置情報に基づいて設定された走行ルートに係る地図情報を取得する（ステップＳ２０７）。なお、図示していないが、天気情報取得部４７５は、ネットワークＮＥを介してサーバー４００などの情報源から、受信したユーザーの位置情報に基づいて設定された走行ルートに係る天気情報を取得してもよい。
【０１１９】
次に、処理制御部４３２は、記憶部１８０に記録されている走行ルートにおける位置情報および太陽電池７０の発電量を読み出し、位置情報および太陽電池７０の発電量に基づいて、走行ルートの日向または日陰を判定する（ステップＳ２０９）。
【０１２０】
ここで、走行ルートの日向または日陰を判定するステップＳ２０９では、位置情報における各地点ごと、太陽電池７０の発電量が予め設定されている閾値よりも高いか否かを判定する（ステップＳ２１１）。処理制御部４３２は、このステップＳ２１１において、太陽電池７０の発電量が予め設定されている閾値よりも高いと判定した（ステップＳ２１１：Ｙｅｓ）場合、日向と判定し（ステップＳ２１３）、太陽電池７０の発電量が予め設定されている閾値よりも低いと判定した（ステップＳ２１１：Ｎｏ）場合、日陰と判定する（ステップＳ２１５）。このように、所定の閾値に基づいて日向および日陰を判定すれば、日向および日陰の判定を確実に行うことができる。
【０１２１】
そして、処理制御部４３２は、走行ルートのそれぞれの地点における日向日陰の判定結果と地図情報取得部４７０の取得した地図情報とに基づいて、日向または日陰、位置情報、および地図情報を関連付けたルート情報を生成する（ステップＳ２１７）。そして、処理制御部４３２は、生成したルート情報を表示部５０に表示（ステップＳ２１９）する。このように、表示部５０にルート情報が表示されることにより、一連の手順を終了する。
【０１２２】
なお、この表示において、表示部５０は、図８および図９を参照して説明したように、ルート情報における日向と日陰とを日向または日陰を識別可能に表示することが好ましい。このように、日向と日陰とを識別することが可能に表示されることにより、ユーザーは、一見で日向または日陰を認識することができる。
【０１２３】
以上説明した変形例に係るウェアラブル機器２０００によれば、ユーザーが実際に走行したルートにおける太陽電池７０の発電量に基づいて、日向と日陰の情報を算出することから、例えば、建物が多く密集する場所や木々が生い茂るような場所であっても、日向と日陰の情報を正確に知ることができる。
【０１２４】
また、ウェアラブル機器２０００によれば、ユーザーが実際に走行したルートにおける計測から、日向または日陰、位置情報、および地図情報を関連付けたルート情報を生成し、そのルート情報を表示部５０に表示する一連の処理を、一つの機器で一括して行うことができる。
【０１２５】
このようなウェアラブル機器２０００を用いることにより、ユーザーは、日向または日陰、位置情報、および地図情報を関連付けたルート情報によって、運動する（走行する）ルートの日向、日陰の割合を勘案し、日向を極力避けることが可能な走行ルートを選択することができる。
【０１２６】
なお、上述した実施形態では、全地球的航法衛星システム（GNSS：Global Navigation Satellite System）が備える位置情報衛星としてＧＰＳ衛星８を用いたＧＰＳを例示して説明したが、これはあくまで一例である。全地球的航法衛星システムは、ガリレオ（EU）、GLONASS（ロシア）、北斗（中国）などの他のシステムや、SBASなどの静止衛星や準天頂衛星などの衛星信号を発信する位置情報衛星を備えるものであればよい。即ち、ウェアラブル機器２００，２０００は、ＧＰＳ衛星８以外の衛星を含む位置情報衛星からの電波（無線信号）を処理して把握される日付情報、時刻情報、位置情報および速度情報のいずれか一つを取得する構成であってもよい。なお、全地球的航法衛星システムは、地域航法衛星システム（RNSS：Regional Navigation Satellite System）とすることができる。
【０１２７】
また、位置情報、および発電情報の取得は、本人の携帯する携帯型電子機器での取得に限らず、別のユーザーが携帯する携帯型電子機器によって取得してもよい。そして、別のユーザーが携帯する携帯型電子機器によって取得した位置情報、および発電情報に基づいてルート情報を生成してもよい。また、ユーザーは特定の個人であっても複数であってもよい。
【０１２８】
以下に、上述した実施形態から導き出される内容を、各態様として記載する。
【０１２９】
［態様１］本態様に係る運動支援システムは、ユーザーが携帯する携帯型電子機器、および前記携帯型電子機器と通信可能な情報処理装置を含む運動支援システムであって、前記携帯型電子機器は、太陽電池と、前記ユーザーの位置情報を取得する衛星測位部と、前記太陽電池が発電した発電量を計測する発電量計測部と、前記位置情報および前記発電量の情報である発電情報とを前記情報処理装置に送信する第１の通信部と、を備え、前記情報処理装置は、前記位置情報および前記発電情報を受信する第２の通信部と、地図情報を取得する地図情報取得部と、前記発電量に基づいて日向または日陰を判定し、前記位置情報における前記日向または前記日陰と前記地図情報とを関連付けたルート情報を生成する処理部と、前記ルート情報を表示する表示部と、を備えることを特徴とする。
【０１３０】
本態様によれば、ユーザーが実際に走行したルートにおける太陽電池の発電量に基づいて、当該ルートの日向、または日陰のいずれかを判定することができる。即ち、実際に走行したルートにおける太陽電池の発電量に基づいて、日向と日陰の情報を算出することから、例えば、建物が多く密集する場所や木々が生い茂るような場所であっても、日向と日陰の情報を正確に知ることができる。
また、少ない情報で当該ルートの日向、および日陰を判定することから、煩雑な計算を用いることなく、日向または日陰、位置情報、および地図情報を関連付けたルート情報を算出することができる。そして、ユーザーは、位置情報である走行ルートにおける日向または日陰と地図情報とを関連付けたルート情報を、情報処理装置の表示部から容易に得ることができる。
【０１３１】
［態様２］上記態様に記載の運動支援システムにおいて、前記処理部は、前記発電量が所定の閾値より高い場合は日向であると判定し、前記発電量が所定の閾値より低い場合は日陰であると判定することが好ましい。
【０１３２】
本態様によれば、所定の閾値に基づいて日向および日陰を判定するため、日向および日陰の判定を確実に行うことができる。
【０１３３】
［態様３］上記態様に記載の運動支援システムにおいて、前記情報処理装置は、天気情報を取得する天気情報取得部を備え、前記処理部は、前記天気情報と前記発電量とに基づいて日向または日陰を判定することが好ましい。
【０１３４】
本態様によれば、天気情報と発電量とに基づいて、日向または日陰を判定するため、ユーザーが実際に走行したときの天気、例えば晴れていたのか、曇っていたのかなどに基づいて発電量の閾値を設定することができ、より正確な日向または日陰の判定を行うことができる。
【０１３５】
［態様４］上記態様に記載の運動支援システムにおいて、前記表示部は、前記ルート情報における前記日向と前記日陰とを識別可能に表示することが好ましい。
【０１３６】
本態様によれば、日向と日陰とを識別することが可能に表示されることにより、ユーザーは、一見で日向または日陰を認識することができる。
【０１３７】
［態様５］上記態様に記載の運動支援システムにおいて、前記表示部は、前記日向の前記ルート情報を前記日陰の前記ルート情報よりも明るい色で表示することが好ましい。
【０１３８】
本態様によれば、ユーザーが日向のルート情報と日陰のルート情報とを容易に識別することができるように、日向のルート情報を日陰のルート情報よりも明るい色（明色）で表示することができる。また、日向のルート情報および日陰のルート情報を明色と暗色とで表示するため、ユーザーは、自身の潜在的なイメージに合った表示となり、より識別を行い易くなる。
【０１３９】
［態様６］本態様に係る携帯型電子機器は、太陽電池と、ユーザーの位置情報を測定する衛星測位部と、前記太陽電池が発電した発電量を計測する発電量計測部と、地図情報を取得する地図情報取得部と、前記発電量に基づいて日向または日陰を判定し、前記位置情報における前記日向または前記日陰と前記地図情報とを関連付けたルート情報を生成する処理部と、前記ルート情報を表示する表示部と、を備えることを特徴とする。
【０１４０】
本態様によれば、ユーザーが実際に走行したルートにおける太陽電池の発電量に基づいて、当該ルートの日向、または日陰のいずれかを判定することができる。即ち、実際に走行したルートにおける太陽電池の発電量に基づいて、日向と日陰の情報を算出することから、例えば、建物が多く密集する場所や木々が生い茂るような場所であっても、日向と日陰の情報を正確に知ることができる。
また、煩雑な計算を用いることなく、位置情報における日向または日陰と地図情報とを関連付けたルート情報を算出することができ、ユーザーは、走行ルートにおける日向または日陰と地図情報とを関連付けたルート情報を表示部から容易に得ることができる。
【０１４１】
［態様７］上記態様に記載の携帯型電子機器において、前記処理部は、前記発電量が所定の閾値より高い場合は日向であると判定し、前記発電量が所定の閾値より低い場合は日陰であると判定することが好ましい。
【０１４２】
本態様によれば、所定の閾値に基づいて日向および日陰を判定するため、日向および日陰の判定を確実に行うことができる。
【０１４３】
［態様８］上記態様に記載の携帯型電子機器において、前記情報処理装置は、天気情報を取得する天気情報取得部を備え、前記処理部は、前記天気情報と前記発電量とに基づいて日向または日陰を判定することが好ましい。
【０１４４】
本態様によれば、天気情報と発電量とに基づいて、日向または日陰を判定するため、ユーザーが実際に走行したときの天気、例えば晴れていたのか、曇っていたのかなどに基づいて発電量の閾値を設定することができ、より正確な日向または日陰の判定を行うことができる。
【０１４５】
［態様９］上記態様に記載の携帯型電子機器において、前記表示部は、前記ルート情報における前記日向と前記日陰とを識別可能に表示することが好ましい。
【０１４６】
本態様によれば、日向と日陰とを識別することが可能に表示されることにより、ユーザーは、一見で日向または日陰を認識することができる。
【０１４７】
［態様１０］本態様に係る運動支援方法は、ユーザーの位置情報を取得するステップと、太陽電池が発電した発電量を計測するステップと、地図情報を取得するステップと、前記発電量に基づいて日向または日陰を判定し、前記位置情報における前記日向または前記日陰と前記地図情報とを関連付けたルート情報を生成するステップと、前記ルート情報を表示するステップと、を含むことを特徴とする。
【０１４８】
本態様によれば、ユーザーが実際に走行したルートにおける太陽電池の発電量に基づいて、当該ルートの日向、または日陰のいずれかを判定することができる。即ち、実際に走行したルートにおける太陽電池の発電量に基づいて、日向と日陰の情報を算出することから、例えば、建物が多く密集する場所や木々が生い茂るような場所であっても、日向と日陰の情報を正確に知ることができる。
また、煩雑な計算を用いることなく、位置情報における日向または日陰と地図情報とを関連付けたルート情報を算出することができ、ユーザーは、走行ルートにおける日向または日陰と地図情報とを関連付けたルート情報を表示部から容易に得ることができる。
【符号の説明】
【０１４９】
８…ＧＰＳ衛星、２１…第１ハウジング、２２…第２ハウジング、３０…ハウジング、３５…モジュール基板、４０…光センサー、４１…回路基板、５０…表示部、５５…加速度センサー、５６…方位センサー、５８…圧力センサー（気圧センサー）、６０…二次電池、６５…衛星アンテナ、６６…信号処理部、６８…衛星情報取得部、６９…位置算出部、７０…太陽電池、８０…第１の通信部、９０…制御部、１００…運動支援システム、１１０…計時部、１３０…操作部、１４０…受光部、１５０…発光部、１６０…衛星測位部、１７０…体動センサー、１８０…記憶部、１９０…発電量計測部、２００…携帯型電子機器としてのウェアラブル機器、２３０…制御処理部（ＣＰＵ）、２３２…処理部、２３５…位置情報取得部、２３９…報知制御部、２４０…記憶部、２７０…地図情報取得部、２７５…天気情報取得部、２８０…第２の通信部、２９０…報知部、２９１…表示部、２９２…振動部、２９５…通信処理部、３００…情報処理装置、４００…サーバー、ＮＥ…ネットワーク。
【図１】
2019162287.tif 000003
【図２】
2019162287.tif 000004
【図３】
2019162287.tif 000005
【図４】
2019162287.tif 000006
【図５】
2019162287.tif 000007
【図６】
2019162287.tif 000008
【図７】
2019162287.tif 000009
【図８】
2019162287.tif 000010
【図９】
2019162287.tif 000011
【図１０】
2019162287.tif 000012
【図１１】
2019162287.tif 000013
【図１２】
2019162287.tif 000014
【図１３】
2019162287.tif 000015